(57)【特許請求の範囲】
【請求項１】
ブームを、埋め込み軸と支持片を介して開閉位置間で旋回運動するように、ブラケットに取り付けてなるブーム式バリアであって、
前記ブームは、光を透過する管状部材として形成されていると共に、その内部に発光ダイオードを搭載したバンドがほぼ全長にわたり延設され、
前記発光ダイオードは、電子モジュールにより可変に制御される赤、緑、青の発光ダイオードにより構成され、
前記ブームの位置を検出して、前記電子モジュールに信号入力するようにした手段を備えて、この検出したブームの位置に応じて前記発光ダイオードの発光色を変更し、
前記支持片は、接触部を有するコンタクトボードを備え、
前記埋め込み軸は、前記ブーム内の発光ダイオードに電力を供給する電源ボードを備え、
前記電源ボードは、前記接触部と当接する１対の電力供給用の接点及びブーム破壊センサとしての前記電力供給用とは異なる接点を有することを特徴するブーム式バリア。
【請求項２】
前記電子モジュールは、車両近接センサにより制御されることを特徴とする請求項１に記載のバリア。
【請求項３】
前記ブームの少なくとも一端は、前記発光ダイオードを備えたバンドを導入可能で、密閉可能に形成されていることを特徴とする請求項１に記載のバリア。
【請求項４】
前記接触部は、扇型形状をしている、ことを特徴とする請求項１ないし３のいずれか１項記載のバリア。
【請求項５】
前記電子モジュールが前記ブーム内に配置されていることを特徴とする請求項１ないし４のいずれか１項に記載のバリア。
【請求項６】
前記電子モジュールは前記ブラケット内に配置され、前記電源ボードと前記コンタクトボードとは、前記電子モジュールにより前記発光ダイオードを制御するため少なくとも一つの追加の接点又は接触部を有することを特徴とする請求項１ないし５のいずれか１項に記載のバリア。
【発明の詳細な説明】
【技術分野】
【０００１】
本発明は、ブームを、開閉位置間で移動するように、ブラケット又はスタンドに取り付けてなるブーム式バリアに関する。
【背景技術】
【０００２】
米国特許７，２５８，４６１Ｂ１は、開閉状態を示すため、バリアのブーム（棒材）上に赤と緑の光を発するＬＥＤを取り付けた構造を開示している。しかし、これらのＬＥＤを備えたブームは容易に破壊されやすい。それは、各ＬＥＤはブーム上の互いに離れた位置に固定され、ブーム全体が見えにくいためである。また、各ＬＥＤは、ブームの一方のみからしか見ることができないためでもある。
【先行技術文献】
【特許文献】
【０００３】
【特許文献１】米国特許第７，２５８，４６１Ｂ１号明細書
【発明の概要】
【発明が解決しようとする課題】
【０００４】
従って、本発明の目的は、簡単な方法で、目だってかつ見えやすいＬＥＤを取り付けたブームを提供することである。
【課題を解決するための手段】
【０００５】
この目的は、請求項１で特徴づけられたブーム式バリアにより達成できる。また、その従属項は、本発明のブーム式バリアの更に好適な構造を示している。
【０００６】
本発明では、ブームを光透過性の管状部材とする。ブームは、線形の連続した管状部材又は屈曲可能に互いに繋げた２つないしそれ以上の管状部分を含むことができる。
【０００７】
光透過性管状部材は、透明ないし不透明、即ち半透明とすることができる。管状部材は、好適には、ポリエステルやポリカーボネートなどのプラスチック材料、特に繊維強化プラスチック材料とする。
【０００８】
本発明では、発光ダイオード（ＬＥＤ）を備えたバンドは、柔軟性のある管又はホース、あるいはＬＥＤ光片、即ち、剛性ないし柔軟性を有する回路基板で構成する。ＬＥＤは単色でもよいが、好適には多色、ないしいわゆる赤、緑、青のＬＥＤ（ＲＧＢ・ＬＥＤ）とする。
【０００９】
本発明では、ＬＥＤを備えたバンドは、ほぼブームの長さに沿って、即ちその長さの少なくとも３／４にわたって延びている。それぞれのＬＥＤは、例えばブームの長さ方向に１ｃｍから１０ｃｍの間隔をあける。
【００１０】
ＬＥＤバンドを管状ブームに挿入できるようにするため、管状ブームの少なくとも一端、即ち、好適には取り付けブラケット又はポストと反対側のブーム端を、キャップ、栓その他により、密閉できるようにする。
【００１１】
本発明では、電子モジュールにより、好適にはＬＥＤが様々なモードで作動するように制御する。ＲＧＢ・ＬＥＤを使用する場合、色をプログラムして、異なるカラー作動モードができるように手動で調節可能ないし可変にする。このため、電子モジュールには、スィッチその他の作動部材を備える。ＲＧＢ・ＬＥＤは、所望のどの色の光でも発光するように制御でき、電子モジュールはＬＥＤが追跡光として作動したり、点滅するように制御できる。
【００１２】
本発明のブーム式バリアは、ブームの位置を検出する手段を備え、例えば電子モジュールに統合できる。そのような手段は、ブームが開位置、閉位置、あるいは中間位置にあるのかどうかを確認するために備える。このように、交通信号モードも可能で、言い換えれば、ブームが閉じている時にはＬＥＤは赤色光を出し、ブームが開いているときは緑色光を出す。ＲＧＢ・ＬＥＤを使用すると、赤からオレンジないし黄色を経て緑色に変えることも可能となる。
【００１３】
また好適には、本発明のバリアは、ブーム内部に配置した電子モジュールに、取り付けブラケットを通して信号を入力する近接センサを備え、該近接センサとして、例えば、車輌近接センサとして作動する、道路面に埋め込んだ誘導ループがある。
【００１４】
このように、交通信号モードでＬＥＤを制御できるように電子モジュールを設計でき、必要に応じて企業のアイデンティティ・カラーを示した駐車場のように別のカラーモードでＬＥＤが作動している際、近接センサが車両を検出すると、上記のカラー変更方式で制御できる。
【００１５】
ブームはスタンド又はブラケットに水平移動するように取り付けられるが、通常は、水平軸に対して旋回するように、ブラケットに結合する。
【００１６】
更に、ＬＥＤバンドに加えて、電子モジュールを管状ブーム内部に配置できるが、好適にはその非可視領域、即ち、ブームをブラケット又はスタンドの埋め込み軸に固定するのに使用する支持片の領域に配置する。
【００１７】
電池などの電源もブーム内に配置できる。好適には、電力は、ブラケット又はスタンドを通してブーム内の電子モジュールに供給する。このため、埋め込み軸は、支持片に向いた端面に、外部電源引き出し線を接続した電源ボードを備え、該電源ボードは、支持片と反対側の端面に配置された制御ボードと、接触部を通して通電する。
【００１８】
接触部は、例えば、ブームの旋回軸を中心とした扇形として形成でき、該扇形を回路基板のうちの１つに設けることができる。そして、例えば、電源ボードのような他の回路基板上のばねで付勢された接触ピンと点接触する。
【００１９】
電子モジュールをブラケット又はスタンドの中又は上に備えることも可能で、それにより例えばブームが車両により破壊されても電子モジュールは損傷しないという利点がある。
【００２０】
この場合、電源ボードと制御ボードが、追加の接点を備えることで、ブラケット内に収納された電子モジュールにより、ブーム内のＬＥＤを制御できる。
【図面の簡単な説明】
【００２１】
【図１】閉位置にあるブームを備えたブラケットを示す一部破断正面図である。
【図２】図１のＩＩ―ＩＩ線のブームとその取り付け構造の断面図である。
【図３】図１のＩＩＩ―ＩＩＩ線の断面図である。
【図４】電源ボードの平面図である。
【図５】電源ボードと反対側の、図２のコンタクトボードの平面図である。
【発明を実施するための形態】
【００２２】
以下、本発明の実施の形態を図について説明する。図１及び図３に図示するように、バリア１は、車両走行方向に直角に配置され、スタンド又はブラケット３に水平軸に対し旋回自在に取り付けたブーム２からなる。バリア１は、例えば、駐車場の出入り口に設けるパーキングバリアとすることができる。
【００２３】
ブーム２はその内部に、ＬＥＤ６を搭載した印刷基板からなるバンド７を備えている。図１で透視的に示したバンド７とＬＥＤは、ブーム２の全長、即ち、ブーム２をブラケット３に取り付けるソケット８から、栓９により密閉されるブーム２の自由端まで伸びている。
【００２４】
ブーム２内にはガイド１１を設けてバンド７を固定する。ガイドは半透明ないし透明とし、管状ブームの壁５と同じ材料で作ることができる。
【００２５】
ＲＧＢ・ＬＥＤからなるバンド７のＬＥＤ６は、ブーム２を形成する管状部材内のソケット８領域内に収納された電子モジュール１２により制御する。ブーム２はその底部に、ゴム状弾性材料からなるリップ１３（図３）を有している。
【００２６】
図２に示すように、ソケット８は、ブーム２を形成する管を間に挟持する、２つの支持片１４，１５から形成されている。支持片１４，１５はネジ付きボルト１６，１７により固定する。ソケット８の支持片１４は、ブーム２が回転不能に、支持片１４内に配置した埋め込み軸１８に接続されるように形成する。
【００２７】
ブーム２を埋め込み軸１８に回転不能に接続するため、ネジ付きボルト１９，２０を径方向に支持片１４と埋め込み軸１８を通して配置する。ブーム２を開く際は、ブラケット３内に収納されたモータ（図示せず）により埋め込み軸１８を駆動する。
【００２８】
埋め込み軸１８は、ソケット８方向の面に、図４で特に示すように、バネ付勢式の接触ピン（接点）２３，２４，２５を備えた電力を供給するための電源ボード２２を備える。接触ピン２３は＋１２Ｖないし＋２４Ｖ端子を形成し、接触ピン２５は接地し、接触ピン２４はブーム破壊センサとして使用する。接触ピン２３，２５へのブラケット３内の電源引き出し線２６は、埋め込み軸１８内の同軸穴２１を通して電源ボード２２に通じる。ブーム破壊センサからの引き出し線を参照符号３５とする。
【００２９】
支持片１４は、電源ボード２２に向かい合って、円板状のボード２７に同軸的に配置された２つの扇形の接触部２８，２９を有する印刷回路コンタクトボード２７を有する。
【００３０】
扇状接触部２８は、接点２３と通電し、扇状接触部２９は１対の接点２４，２５と通電する。言い換えれば、通常の場合は、接触部２９は電源ボード２２の接点２４，２５と相互接続する。ブーム２がたとえば車両により前方に傾斜してずれた場合は、接続が切れ、ブーム破壊状態を知らせる。
【００３１】
扇状接触部２８，２９は、同軸開口部３６と支持片１４内のそれと一直線になった開口部とを通る引き出し線３１，３２により、電子モジュール１２と接続されている。
【００３２】
ブラケット３内に配置された電子モジュール１２によりＬＥＤ６を制御するため、図４，５で点線で示す追加の接点又は接触部３３，３４が、それぞれ電源ボード２２とコンタクトボード２７に設けられている。
【００３３】
扇状の代わりに、他の平面状の接触部２８，２９，３４も使用可能で、接点２３ないし２５及び３３に接続できる。
【産業上の利用可能性】
【００３４】
以上のように、本発明により簡単な方法で、目立ってかつ見えやすいＬＥＤを取り付けたブームを提供できる。
【符号の説明】
【００３５】
１  バリア
２  ブーム
３  ブラケット
６  発光ダイオード（ＬＥＤ）
７  バンド
８  ソケット
１２  電子モジュール
１４，１５  支持片
１８  埋め込み軸
２２  電源ボード
２３，２４，２５  接触ピン
２７  コンタクトボード
２８，２９  扇状接触部
【図１】
0005610699.tif 000002
【図２】
0005610699.tif 000003
【図３】
0005610699.tif 000004
【図４】
0005610699.tif 000005
【図５】
0005610699.tif 000006